(57)【要約】【課題】演算負荷及び記憶空間に対する需要を低減させることができるタッチセンサー装置及びタッチ感応方法を提供すること。【解決手段】本発明に係るタッチセンサー装置は、複数本の横方向誘導信号線及び複数本の縦方向誘導信号線を含むタッチパネルと、下記の公式１によってユーザーの前記タッチパネルでの接触点の座標（Ｘ，Ｙ）を計算するための計算ユニットと、を備え、前記複数本の横方向誘導信号線は、複数の横方向誘導信号値ａ１、ａ２、…、ａｎを生成し、前記複数本の縦方向誘導信号線は、複数の縦方向誘導信号値ｂ１、ｂ２、…、ｂｍを生成し、ｎ及びｍは、何れも２或いは２以上の整数であり、各横方向誘導信号値は、１つの横座標に対応し、各縦方向誘導信号値は、１つの縦座標に対応している。2014075127.tif 000019【選択図】図４
2014075127.tif 000002
【特許請求の範囲】
【請求項１】
複数本の横方向誘導信号線及び複数本の縦方向誘導信号線を含むタッチパネルと、
下記の公式１によってユーザーの前記タッチパネルでの接触点の座標（Ｘ，Ｙ）を計算するための計算ユニットと、を備え、
前記複数本の横方向誘導信号線は、複数の横方向誘導信号値ａ１、ａ２、…、ａｎを生成し、
前記複数本の縦方向誘導信号線は、複数の縦方向誘導信号値ｂ１、ｂ２、…、ｂｍを生成し、
ｎ及びｍは、何れも２或いは２以上の整数であり、
各横方向誘導信号値は、１つの横座標に対応し、
各縦方向誘導信号値は、１つの縦座標に対応していることを特徴とするタッチセンサー装置。
【数１３】
2014075127.tif 000015
（式中において、Ｘ１、Ｘ２…、Ｘｎは、前記ｎ個の横方向誘導信号値ａ１、ａ２、…、ａｎにそれぞれ対応する横座標を表し、Ｙ１、Ｙ２…、Ｙｍは、前記ｍ個の縦方向誘導信号値ｂ１、ｂ２、…、ｂｍにそれぞれ対応する縦座標を表す。）
【請求項２】
前記計算ユニットは、各前記複数の横方向誘導信号値ａ１、ａ２、…、ａｎを、１つの横方向誘導信号閾値とそれぞれ比較して、前記複数の横方向誘導信号値の中から前記横方向誘導信号閾値より小さい横方向誘導信号値を取り除いて、濾過された後の横方向誘導信号値に基づいて前記接触点の横座標を計算し、
また、前記計算ユニットは、各前記複数の縦方向誘導信号値ｂ１、ｂ２、…、ｂｍを、１つの縦方向誘導信号閾値とそれぞれ比較して、前記複数の縦方向誘導信号値の中から前記縦方向誘導信号閾値より小さい縦方向誘導信号値を取り除いて、濾過された後の縦方向誘導信号値に基づいて前記接触点の縦座標を計算することを特徴とする請求項１に記載のタッチセンサー装置。
【請求項３】
複数本の横方向誘導信号線及び複数本の縦方向誘導信号線を含むタッチパネルと、
下記の公式２によってユーザーの前記タッチパネルでの接触点の座標（Ｘ，Ｙ）を計算するための計算ユニットと、を備え、
前記複数本の横方向誘導信号線は、複数の横方向誘導信号値ａ１、ａ２、…、ａｎを生成し、
前記複数本の縦方向誘導信号線は、複数の縦方向誘導信号値ｂ１、ｂ２、…、ｂｍを生成し、
ｎ及びｍは、何れも２或いは２以上の整数であり、
各横方向誘導信号値は、１つの横座標に対応し、
各縦方向誘導信号値は、１つの縦座標に対応し、
前記計算ユニットは、前記ｎ個の横方向誘導信号値ａ１、ａ２、…、ａｎの中から最大のｒ個の横方向誘導信号値Ａ１、Ａ２、…、Ａｒ（２≦ｒ≦ｎ）を選び取り、且つ前記ｍ個の縦方向誘導信号値ｂ１、ｂ２、…、ｂｍの中から最大のｓ個の縦方向誘導信号値Ｂ１、Ｂ２、…、Ｂｓ（２≦ｓ≦ｍ）を選び取って、以下の公式２によって接触点の座標（Ｘ，Ｙ）を計算することを特徴とするタッチセンサー装置。
【数１４】
2014075127.tif 000016
（式中において、Ｘ１、Ｘ２…、Ｘｒは、前記最大のｒ個の横方向誘導信号値Ａ１、Ａ２、…、Ａｒにそれぞれ対応する横座標を表し、Ｙ１、Ｙ２…、Ｙｓは、前記最大のｓ個の縦方向誘導信号値Ｂ１、Ｂ２、…、Ｂｓにそれぞれ対応する縦座標を表す。）
【請求項４】
前記計算ユニットは、前記複数の横方向誘導信号値ａ１、ａ２、…、ａｎの中から最大の２つの横方向誘導信号値を選び取って、選んだ２つの横方向誘導信号値に基づいて前記接触点の横座標を計算し、
また、前記計算ユニットは、前記複数の縦方向誘導信号値ｂ１、ｂ２、…、ｂｍの中から最大の２つの縦方向誘導信号値を選び取って、選んだ２つの縦方向誘導信号値に基づいて前記接触点の縦座標を計算することを特徴とする請求項３に記載のタッチセンサー装置。
【請求項５】
タッチパネルはユーザーによる押圧力を感知して、ｎ個の横方向誘導信号値ａ１、ａ２、…、ａｎ及びｍ個の縦方向誘導信号値ｂ１、ｂ２、…、ｂｍを生成する感知ステップと、
下記の公式１によって接触点の座標（Ｘ，Ｙ）を計算する計算ステップと、を備え、
前記感知ステップにおいて、ｎ及びｍは、何れも２或いは２以上の整数であり、
各横方向誘導信号値は、１つの横座標に対応し、
各縦方向誘導信号値は、１つの縦座標に対応していることを特徴とするタッチ感応方法。
【数１５】
2014075127.tif 000017
（式中において、Ｘ１、Ｘ２…、Ｘｎは、前記ｎ個の横方向誘導信号値ａ１、ａ２、…、ａｎにそれぞれ対応する横座標を表し、Ｙ１、Ｙ２…、Ｙｍは、前記ｍ個の縦方向誘導信号値ｂ１、ｂ２、…、ｂｍにそれぞれ対応する縦座標を表す。）
【請求項６】
前記計算ステップは、各前記複数の横方向誘導信号値ａ１、ａ２、…、ａｎを、１つの横方向誘導信号閾値とそれぞれ比較して、前記複数の横方向誘導信号値の中から前記横方向誘導信号閾値より小さい横方向誘導信号値を取り除いて、濾過された後の横方向誘導信号値に基づいて前記接触点の横座標を計算するステップと、
各前記複数の縦方向誘導信号値ｂ１、ｂ２、…、ｂｍを、１つの縦方向誘導信号閾値とそれぞれ比較して、前記複数の縦方向誘導信号値の中から前記縦方向誘導信号閾値より小さい縦方向誘導信号値を取り除いて、濾過された後の縦方向誘導信号値に基づいて前記接触点の縦座標を計算するステップと、をさらに備えることを特徴とする請求項５に記載のタッチ感応方法。
【請求項７】
タッチパネルはユーザーによる押圧力を感知して、ｎ個の横方向誘導信号値ａ１、ａ２、…、ａｎ及びｍ個の縦方向誘導信号値ｂ１、ｂ２、…、ｂｍを生成する感知ステップと、
前記ｎ個の横方向誘導信号値ａ１、ａ２、…、ａｎの中から最大のｒ個の横方向誘導信号値Ａ１、Ａ２、…、Ａｒ（２≦ｒ≦ｎ）を選び取ると共に、前記ｍ個の縦方向誘導信号値ｂ１、ｂ２、…、ｂｍの中から最大のｓ個の縦方向誘導信号値Ｂ１、Ｂ２、…、Ｂｓ（２≦ｓ≦ｍ）を選び取って、下記の公式２によって接触点の座標（Ｘ，Ｙ）を計算する計算ステップと、を備え、
前記感知ステップにおいて、ｎ及びｍは、何れも２或いは２以上の整数であり、
各横方向誘導信号値は、１つの横座標に対応し、
各縦方向誘導信号値は、１つの縦座標に対応していることを特徴とするタッチ感応方法。
【数１６】
2014075127.tif 000018
（式中において、Ｘ１、Ｘ２…、Ｘｒは、前記最大のｒ個の横方向誘導信号値Ａ１、Ａ２、…、Ａｒにそれぞれ対応する横座標を表し、Ｙ１、Ｙ２…、Ｙｓは、前記最大のｓ個の縦方向誘導信号値Ｂ１、Ｂ２、…、Ｂｓにそれぞれ対応する縦座標を表す。）
【請求項８】
前記計算ステップは、前記複数の横方向誘導信号値ａ１、ａ２、…、ａｎの中から最大の２つの横方向誘導信号値を選び取り、且つ選んだ２つの横方向誘導信号値に基づいて前記接触点の横座標を計算し、また、
前記複数の縦方向誘導信号値ｂ１、ｂ２、…、ｂｍの中から最大の２つの縦方向誘導信号値を選び取り、且つ選んだ２つの縦方向誘導信号値に基づいて前記接触点の縦座標を計算することを特徴とする請求項７に記載のタッチ感応方法。
【発明の詳細な説明】
【技術分野】
【０００１】
本発明は、タッチ技術に関し、特にタッチセンサー装置及びタッチ感応方法に関するものである。
【背景技術】
【０００２】
タッチ技術は７０年代に出現し、特にこの数年、携帯電話或いはタブレットパソコンに大量に応用されるようになった。以後数年内、タッチ技術は更に発展するとみ込まれている。一般的なタッチ技術は、タッチパネルの表面の測位原理に基づいて、音響パルス認識（ＡＰＲ）技術、表面音波（ＳＡＷ）技術、静電容量式、抵抗式及び赤外線／光学式技術の５種類に分けられる。現在最も広く用いられている技術は、静電容量式タッチ技術である。
【０００３】
前記静電容量式タッチ技術は、タッチパネル上の横方向誘導信号線（ｈｏｒｉｚｏｎｔａｌ  ｓｅｎｓｉｎｇ  ｌｉｎｅｓ）及び縦方向誘導信号線（ｖｅｒｔｉｃａｌ  ｓｅｎｓｉｎｇ  ｌｉｎｅｓ）を介して検知した電圧値を、タッチチップの内部に伝送して処理させる。前記タッチチップは、前記各誘導信号線からの電圧値を受信した後、これらの電圧値を演算して、複数の横方向誘導信号値及び複数の縦方向誘導信号値を含むデジタル誘導信号（ｓｅｎｓｉｎｇ  ｓｉｇｎａｌｓ）に変換させて、前記横方向誘導信号値と前記縦方向誘導信号値とを相乗することで、二次元誘導信号値行列（ｍａｔｒｉｘ  ｏｆ  ２Ｄ  ｓｅｎｓｉｎｇ  ｓｉｇｎａｌｓ）を生成し、且つ補間法を利用して接触点の座標（Ｘ，Ｙ）を探し出す。より詳細には、Ｘ点を計算する時に、横方向における二次元誘導信号値に対応する横座標をそれぞれに掛けた後、和を求めて、さらに横方向における二次元誘導信号値の総和で割る。また、Ｙ点を計算する時に、縦方向における二次元誘導信号値に対応する縦座標をそれぞれに掛けた後、和を求めて、さらに縦方向における二次元誘導信号値の総和で割る。
【０００４】
上述した静電容量式のタッチ技術にとって、横方向誘導信号値と縦方向誘導信号値とを相乗して二次元誘導信号値行列を生成することは、巨大な演算負荷及び記憶空間を必要とし、且つ誘導信号線の増加（即ち、横方向誘導信号値と縦方向誘導信号値の数量が増えること）に従い、演算負荷及び記憶空間に対する需要も倍になる。これにより、タッチセンサーの処理効率を低下させるだけでなく、タッチチップの体積を増大させ（記憶空間への要求が高まったため）、タッチセンサー装置の生産コストを増加させ、タッチセンサー装置の軽薄化の発展を遅速させる。
【発明の概要】
【発明が解決しようとする課題】
【０００５】
以上の問題点に鑑みて、本発明は、演算負荷及び記憶空間に対する需要を低減させることができるタッチセンサー装置及びタッチ感応方法を提供することを目的とする。
【課題を解決するための手段】
【０００６】
上記の課題を解決するために、本発明に係るタッチセンサー装置は、複数本の横方向誘導信号線及び複数本の縦方向誘導信号線を含むタッチパネルと、下記の公式１によってユーザーの前記タッチパネルでの接触点の座標（Ｘ，Ｙ）を計算するための計算ユニットと、を備え、前記複数本の横方向誘導信号線は、複数の横方向誘導信号値ａ１、ａ２、…、ａｎを生成し、前記複数本の縦方向誘導信号線は、複数の縦方向誘導信号値ｂ１、ｂ２、…、ｂｍを生成し、ｎ及びｍは、何れも２或いは２以上の整数であり、各横方向誘導信号値は、１つの横座標に対応し、各縦方向誘導信号値は、１つの縦座標に対応している。
【０００７】
【数１】
2014075127.tif 000003
（式中において、Ｘ１、Ｘ２…、Ｘｎは、前記ｎ個の横方向誘導信号値ａ１、ａ２、…、ａｎにそれぞれ対応する横座標を表し、Ｙ１、Ｙ２…、Ｙｍは、前記ｍ個の縦方向誘導信号値ｂ１、ｂ２、…、ｂｍにそれぞれ対応する縦座標を表す。）
【０００８】
また、上記の課題を解決するために、本発明に係るタッチセンサー装置は、複数本の横方向誘導信号線及び複数本の縦方向誘導信号線を含むタッチパネルと、下記の公式２によってユーザーの前記タッチパネルでの接触点の座標（Ｘ，Ｙ）を計算するための計算ユニットと、を備え、
前記複数本の横方向誘導信号線は、複数の横方向誘導信号値ａ１、ａ２、…、ａｎを生成し、前記複数本の縦方向誘導信号線は、複数の縦方向誘導信号値ｂ１、ｂ２、…、ｂｍを生成し、ｎ及びｍは、何れも２或いは２以上の整数であり、各横方向誘導信号値は、１つの横座標に対応し、各縦方向誘導信号値は、１つの縦座標に対応し、
前記計算ユニットは、前記ｎ個の横方向誘導信号値ａ１、ａ２、…、ａｎの中から最大のｒ個の横方向誘導信号値Ａ１、Ａ２、…、Ａｒ（２≦ｒ≦ｎ）を選び取って、前記ｍ個の縦方向誘導信号値ｂ１、ｂ２、…、ｂｍの中から最大のｓ個の縦方向誘導信号値Ｂ１、Ｂ２、…、Ｂｓ（２≦ｓ≦ｍ）を選び取って、以下の公式２によって接触点の座標（Ｘ，Ｙ）を計算する。
【０００９】
【数２】
2014075127.tif 000004
（式中において、Ｘ１、Ｘ２…、Ｘｒは、前記最大のｒ個の横方向誘導信号値Ａ１、Ａ２、…、Ａｒにそれぞれ対応する横座標を表し、Ｙ１、Ｙ２…、Ｙｓは、前記最大のｓ個の縦方向誘導信号値Ｂ１、Ｂ２、…、Ｂｓにそれぞれ対応する縦座標を表す。）
【００１０】
また、本発明に係るタッチ感応方法は、タッチパネルはユーザーによる押圧力を感知して、ｎ個の横方向誘導信号値ａ１、ａ２、…、ａｎ及びｍ個の縦方向誘導信号値ｂ１、ｂ２、…、ｂｍを生成する感知ステップと、下記の公式１によって接触点の座標（Ｘ，Ｙ）を計算する計算ステップと、を備え、前記感知ステップにおいて、ｎ及びｍは、何れも２以上の整数であり、各横方向誘導信号値は、１つの横座標に対応し、各縦方向誘導信号値は、１つの縦座標に対応している。
【００１１】
【数３】
2014075127.tif 000005
（式中において、Ｘ１、Ｘ２…、Ｘｎは、前記ｎ個の横方向誘導信号値ａ１、ａ２、…、ａｎにそれぞれ対応する横座標を表し、Ｙ１、Ｙ２…、Ｙｍは、前記ｍ個の縦方向誘導信号値ｂ１、ｂ２、…、ｂｍにそれぞれ対応する縦座標を表す。）
【００１２】
また、本発明に係るタッチ感応方法は、タッチパネルはユーザーによる押圧力を感知して、複数の横方向誘導信号値ａ１、ａ２、…、ａｎ及び複数の縦方向誘導信号値ｂ１、ｂ２、…、ｂｍを生成し、ｎ及びｍは、何れも２或いは２以上の整数であり、各横方向誘導信号値は、１つの横座標に対応し、各縦方向誘導信号値は、１つの縦座標に対応している感知ステップと、
前記複数の横方向誘導信号値ａ１、ａ２、…、ａｎの中から最大のｒ個の横方向誘導信号値Ａ１、Ａ２、…、Ａｒ（２≦ｒ≦ｎ）を選び取ると共に、前記複数の縦方向誘導信号値ｂ１、ｂ２、…、ｂｍの中から最大のｓ個の縦方向誘導信号値Ｂ１、Ｂ２、…、Ｂｓ（２≦ｓ≦ｍ）を選び取って、下記の公式２によって接触点の座標（Ｘ，Ｙ）を計算する計算ステップと、を備える。
【００１３】
【数４】
2014075127.tif 000006
（式中において、Ｘ１、Ｘ２…、Ｘｒは、前記最大のｒ個の横方向誘導信号値Ａ１、Ａ２、…、Ａｒにそれぞれ対応する横座標を表し、Ｙ１、Ｙ２…、Ｙｓは、前記最大のｓ個の縦方向誘導信号値Ｂ１、Ｂ２、…、Ｂｓにそれぞれ対応する縦座標を表す。）
【発明の効果】
【００１４】
従来の技術と異なり、本発明のタッチセンサー装置及びタッチ感応方法の計算ユニットは、ｎ個の横方向誘導信号値ａ１、ａ２、…、ａｎとｍ個の縦方向誘導信号値ｂ１、ｂ２、…、ｂｍとを相乗するため、所謂二次元誘導信号値行列を生成する必要がない。従って、演算負荷を大きく軽減し、記憶空間に対する要求を大きく低減させ、タッチチップのコストダウン及び体積の小型化を実現できる。
【図面の簡単な説明】
【００１５】
【図１】本発明の実施形態に係るタッチセンサー装置の機能モジュールを示す図である。
【図２】本発明の１種の実施形態に係るタッチパネルを示す図である。
【図３】本発明のタッチパネルが生成した誘導信号値のインスタンスである。
【図４】本発明の１つの典型例として、従来技術に対して節約した記憶空間の割合を示す表である。
【図５】本発明の第一実施形態に係るタッチ感応方法のフローチャートである。
【図６】本発明の第二実施形態に係るタッチ感応方法のフローチャートである。
【発明を実施するための形態】
【００１６】
図１に示すように、本発明の実施形態に係るタッチセンサー装置１０は、タッチパネル１２及び計算ユニット１６を備える。タッチセンサー装置１０は、ノートパソコンのタッチパッド、スマートフォンのタッチパネル或いは他の電子装置のタッチセンサー部品であることができる。
【００１７】
タッチパネル１２は、複数本の横方向誘導信号線及び複数本の縦方向誘導信号線を含む。各横方向誘導信号線は１つの横座標にそれぞれ対応しており、各縦方向誘導信号線は１つの縦座標にそれぞれ対応している。前記複数本の横方向誘導信号線及び前記複数本の縦方向誘導信号線は、タッチパネル１２において交錯するように分布しており、２次元の座標システムを構成する。
【００１８】
ユーザーは、タッチパネル１２に接触する或いはタッチパネル１２を押圧すると、前記複数本の横方向誘導信号線及び前記複数本の縦方向誘導信号線の接触位置の近くにおけるコンデンサの電気容量は増大して、複数の横方向誘導信号値及び複数の縦方向誘導信号値を生成する。各横方向誘導信号値は、タッチパネル１２上の対応する横座標が受けた押圧強度を表し、横方向誘導信号の値が大きくなればなるほど、対応する横座標が受けた押圧強度は大きいことを意味する。また、各縦方向誘導信号値は、タッチパネル１２上の対応する縦座標が受けた押圧強度を表し、縦方向誘導信号の値が大きくなればなるほど、対応する縦座標が受けた押圧強度は大きいことを意味する。
【００１９】
図２に示すように、本発明の１種の実施形態に係るタッチパネル１２は、ｎ本の横方向誘導信号線と、ｍ本の縦方向誘導信号線と、を含む。前記ｎ本の横方向誘導信号線に対応する横座標は、Ｘ１、Ｘ２、…、Ｘｎとそれぞれ表記される。前記ｍ本の縦方向誘導信号線に対応する縦座標は、Ｙ１、Ｙ２、…、Ｙｍとそれぞれ表記される。中でも、ｎ及びｍは、何れも２或いは２以上の整数である。図３において、ｎ＝ｍ＝５である。
【００２０】
図３に示すように、ユーザーがタッチパネル１２を押圧すると、前記ｎ本の横方向誘導信号線は、横座標Ｘ１、Ｘ２…、Ｘｎに対応して、ｎ個の横方向誘導信号値ａ１、ａ２、…、ａｎをそれぞれ生成し、前記ｍ本の縦方向誘導信号線は、縦座標Ｙ１、Ｙ２…、Ｙｍに対応して、ｍ個の縦方向誘導信号値ｂ１、ｂ２、…、ｂｍをそれぞれ生成する。中でも、ｎ及びｍは、何れも２或いは２以上の整数である。図３において、ｎ＝ｍ＝５である。
【００２１】
計算ユニット１６は、タッチパネル１２に電気的に接続されて、タッチパネル１２が生成した前記複数の横方向誘導信号値及び前記複数の縦方向誘導信号値に基づいて、ユーザーのタッチパネル１２における接触点の座標を確定する。
【００２２】
≪実施例１≫
計算ユニット１６は、以下の公式１によって接触点の座標（Ｘ，Ｙ）を計算する。
【００２３】
【数５】
2014075127.tif 000007
前記公式１において、ａ１、ａ２、…、ａｎは、前記ｎ本の横方向誘導信号線が生成したｎ個の横方向誘導信号値を表し、ｂ１、ｂ２、…、ｂｍは、前記ｍ本の縦方向誘導信号線が生成したｍ個の縦方向誘導信号値を表し、Ｘ１、Ｘ２…、Ｘｎは、前記ｎ個の横方向誘導信号値ａ１、ａ２、…、ａｎにそれぞれ対応する横座標を表し、Ｙ１、Ｙ２…、Ｙｍは、前記ｍ個の縦方向誘導信号値ｂ１、ｂ２、…、ｂｍにそれぞれ対応する縦座標を表す。
【００２４】
従来の技術に対して、本発明の実施例１は、計算ユニット１６が前記ｎ個の横方向誘導信号値ａ１、ａ２、…、ａｎと前記ｍ個の縦方向誘導信号値ｂ１、ｂ２、…、ｂｍとを相乗するので、所謂二次元誘導信号値行列を生成する必要がない。従って、本発明のタッチ感応方法は、演算負荷を大きく軽減し、記憶空間に対する需要も低減させ、タッチチップのコストダウン及び体積の小型化を実現することができる。
【００２５】
また、接触点の座標を計算する過程におけるタッチセンサー装置の演算量及び記憶空間に対する需要をさらに低減させるために、上記の実施例１において、計算ユニット１６は、接触点の座標を計算する前に、前記ｎ個の横方向誘導信号値ａ１、ａ２、…、ａｎ及び前記ｍ個の縦方向誘導信号値ｂ１、ｂ２、…、ｂｍに対して濾過し、且つ濾過された後の誘導信号値に基づいて接触点の座標（Ｘ，Ｙ）を計算して得る。具体的には、計算ユニット１６は、各前記ｎ個の横方向誘導信号値ａ１、ａ２、…、ａｎを、１つの横方向誘導信号閾値とそれぞれ比較して、前記ｎ個の横方向誘導信号値の中から前記横方向誘導信号閾値より小さい横方向誘導信号値を取り除いた後、濾過された後の横方向誘導信号値に基づいて接触点の横座標Ｘを計算する。同じように、計算ユニット１６は、各前記ｍ個の縦方向誘導信号値ｂ１、ｂ２、…、ｂｍを、１つの縦方向誘導信号閾値とそれぞれ比較して、前記ｍ個の縦方向誘導信号値の中から前記縦方向誘導信号閾値より小さい縦方向誘導信号値を取り除いた後、濾過された後の縦方向誘導信号値に基づいて接触点の縦座標Ｙを計算する。このように、計算ユニット１６は演算過程において、誘導信号値の数の大きな減少に関係して、上述した実施例１上でタッチセンサー装置の演算負荷をさらに軽減し、記憶空間に対する需要も低減させることができる。
【００２６】
≪実施例２≫
計算ユニット１６は、前記ｎ個の横方向誘導信号値ａ１、ａ２、…、ａｎの中から最大のｒ個の横方向誘導信号値Ａ１、Ａ２、…、Ａｒ（２≦ｒ≦ｎ）を選び取って、前記ｍ個の縦方向誘導信号値ｂ１、ｂ２、…、ｂｍの中から最大のｓ個の縦方向誘導信号値Ｂ１、Ｂ２、…、Ｂｓ（２≦ｓ≦ｍ）を選び取って、以下の公式２によって接触点の座標（Ｘ，Ｙ）を計算する。
【００２７】
【数６】
2014075127.tif 000008
前記公式２において、Ａ１、Ａ２、…、Ａｒは、前記ｎ個の横方向誘導信号値ａ１、ａ２、…、ａｎの中から選び取った最大のｒ個の横方向誘導信号値を表し、Ｂ１、Ｂ２、…、Ｂｓは、前記ｍ個の縦方向誘導信号値ｂ１、ｂ２、…、ｂｍの中から選び取った最大のｓ個の縦方向誘導信号値を表し、Ｘ１、Ｘ２…、Ｘｒは、前記最大のｒ個の横方向誘導信号値Ａ１、Ａ２、…、Ａｒにそれぞれ対応する横座標を表し、Ｙ１、Ｙ２…、Ｙｓは、前記最大のｓ個の縦方向誘導信号値Ｂ１、Ｂ２、…、Ｂｓにそれぞれ対応する縦座標を表す。
【００２８】
従来の技術に対して、実施例２は、計算ユニット１６が前記ｎ個の横方向誘導信号値ａ１、ａ２、…、ａｎと前記ｍ個の縦方向誘導信号値ｂ１、ｂ２、…、ｂｍとを相乗するので、所謂二次元誘導信号値行列を生成する必要がない。従って、演算負荷を大きく軽減し、記憶空間に対する需要も低減させ、タッチチップのコストダウン及び体積の小型化を実現することができる。
【００２９】
他方、実施例２において、計算ユニット１６は接触点の座標を計算する前に、前記ｎ個の横方向誘導信号値及び前記ｍ個の縦方向誘導信号値の中から、最大のｒ個の横方向誘導信号値及び最大のｓ個の縦方向誘導信号値をそれぞれ選び取って、計算ユニット１６の演算過程において関係するデータの量をさらに減少し、データの記憶空間への要求も低減させることができる。
【００３０】
上記の実施例２の１つの典型例として、ｒとｓとの値は、それぞれ２である。つまり、計算ユニット１６は前記ｎ個の横方向誘導信号値ａ１、ａ２、…、ａｎの中から最大の２つの横方向誘導信号値Ａ１及びＡ２を選び取ると共に、ｍ個の縦方向誘導信号値ｂ１、ｂ２、…、ｂｍの中から最大の２つの縦方向誘導信号値Ｂ１及びＢ２を選び取り、且つ以下の公式３によって接触点の座標（Ｘ，Ｙ）を計算して得る。
【００３１】
【数７】
2014075127.tif 000009
前記公式３において、Ａ１及びＡ２は、前記ｎ個の横方向誘導信号値ａ１、ａ２、…、ａｎの中から選び取った最大の２つの横方向誘導信号値であり、Ｂ１及びＢ２は、前記ｍ個の縦方向誘導信号値ｂ１、ｂ２、…、ｂｍの中から選び取った最大の２つの縦方向誘導信号値であり、Ｘ１及びＸ２は、前記最大の２つの横方向誘導信号値Ａ１、Ａ２にそれぞれ対応する横座標であり、Ｙ１及びＹ２は、前記最大の２つの縦方向誘導信号値Ｂ１、Ｂ２にそれぞれ対応する縦座標である。
【００３２】
上述した典型例によって、本発明は、記憶空間に対する需要を低減させることにおいて、その進歩は著しい。しかも、横／縦誘導信号線の数の増加につれて、こうした進歩は更に著しい。計算ユニット１６が接触点の横座標Ｘ及び縦座標Ｙを計算する場合の原理は同じであるから、以下接触点の横座標Ｘのみを計算することを例として、既存の技術に対して、上記の典型例は記憶空間に対する需要を低減させることに対する進歩或いは効果を述べている。
【００３３】
図４は、上記の典型例が従来技術に対して節約した記憶空間の割合を示している。ここで、基本的なメモリ・セルが７ビット（ｂｉｔｓ）であることを例として説明する。上記典型例は２つの最大の横方向誘導信号値のみを選び取って演算を行なうため、縦／横誘導信号線が任意の数である場合、必要な記憶空間は固定した３７ビットである。具体的には、２つの最大の横方向誘導信号値を選び取ることは２つの基本的なメモリ・セルを占用し、即ち７×２＝１４ビットである。この２つの横方向誘導信号値を前記公式３に導入して演算する時に、分子部分は７×２＋１＝１５ビットの記憶空間を必要し、分母部分は７＋１＝８ビットの記憶空間を必要する。これにより、本発明の上記の典型例が１４＋１５＋８＝３７ビットの記憶空間を必要とすることが分かる。
【００３４】
これに対して、従来の技術において、縦／横誘導信号線の数が増加することに従って、所要の記憶空間も相応して増加する。具体的には、縦／横誘導信号線の数が２×２である場合、先ず２つの横方向誘導信号値と２つの縦方向誘導信号値とを相乗することで、２×２の二次元誘導信号値行列を生成する。接触点の横座標を計算する場合、分子部分は７×３＋１＋１＝２３ビットの記憶空間を必要し、分母部分は７×２＋１＋１＝１６ビットの記憶空間を必要する。これにより、従来の技術が縦／横誘導信号線の数が２×２である場合、全部で２３＋１６＝３９ビットの記憶空間を必要する。この時、本発明の上記の典型例によって、従来の技術に対して５．４％の記憶空間を節約することができる。
【００３５】
また、従来の技術において、縦／横誘導信号線の数が３×３である場合、先ず三つの横方向誘導信号値と三つの縦方向誘導信号値とを相乗することで、３×３の二次元誘導信号値行列を生成する。接触点の横座標を計算する場合、分子部分は７×３＋１＋１＋１＋１＝２５ビットの記憶空間を必要とし、分母部分は７×２＋１＋１＋１＋１＝１８ビットの記憶空間を必要とする。これにより、従来の技術が縦／横誘導信号線の数が３×３である場合、全部で２５＋１８＝４３ビットの記憶空間を必要とする。この時、本発明は上記の典型例によって、従来の技術に対して１６．２％の記憶空間を節約することができる。
【００３６】
さらに、これにより類推して、従来の技術において、縦／横誘導信号線の数がｎ×ｎである場合、
【数８】
2014075127.tif 000010
ビットの記憶空間を必要とし、ｎは２或いは２以上の整数である。これに相応して、上記の典型例によって節約した記憶空間の役割は
【数９】
2014075127.tif 000011
である。
【００３７】
図５に示すように、本発明の第一実施形態に係るタッチ感応方法は、以下のステップＳ５０１及びＳ５０２を含む。
【００３８】
ステップＳ５０１において、タッチパネル１２はユーザーによる押圧力を感知して、ｎ個の横方向誘導信号値ａ１、ａ２、…、ａｎ及びｍ個の縦方向誘導信号値ｂ１、ｂ２、…、ｂｍを生成する。ここで、ｎ及びｍは全て２以上の整数である。
【００３９】
ステップＳ５０２において、計算ユニット１６は以下の公式１によって接触点の座標（Ｘ，Ｙ）を計算する。
【００４０】
【数１０】
2014075127.tif 000012
前記公式１において、ａ１、ａ２、…、ａｎは、前記ｎ本の横方向誘導信号線が生成したｎ個の横方向誘導信号値を表し、ｂ１、ｂ２、…、ｂｍは、前記ｍ本の縦方向誘導信号線が生成したｍ個の縦方向誘導信号値を表し、Ｘ１、Ｘ２…、Ｘｎは、前記ｎ個の横方向誘導信号値ａ１、ａ２、…、ａｎにそれぞれ対応する横座標を表し、Ｙ１、Ｙ２…、Ｙｍは、前記ｍ個の縦方向誘導信号値ｂ１、ｂ２、…、ｂｍにそれぞれ対応する縦座標を表す。
【００４１】
また、上記の実施形態に基づく改善例として、計算ユニット１６は接触点の座標を計算する前に、前記ｎ個の横方向誘導信号値ａ１、ａ２、…、ａｎと前記ｍ個の縦方向誘導信号値ｂ１、ｂ２、…、ｂｍに対して濾過し、且つ濾過された後の誘導信号値に基づいて前記接触点の座標（Ｘ，Ｙ）を計算する。
【００４２】
図６に示すように、本発明の第二実施形態に係るタッチ感応方法は、以下のステップＳ６０１及びＳ６０２を含む。
【００４３】
ステップＳ６０１において、タッチパネル１２はユーザーによる押圧力を感知して、ｎ個の横方向誘導信号値ａ１、ａ２、…、ａｎ及びｍ個の縦方向誘導信号値ｂ１、ｂ２、…、ｂｍを生成する。ここで、ｎ及びｍは全て２以上の整数である。
【００４４】
ステップＳ６０２において、計算ユニット１６は、前記ｎ個の横方向誘導信号値ａ１、ａ２、…、ａｎの中から最大のｒ個の横方向誘導信号値Ａ１、Ａ２、…、Ａｒ（２≦ｒ≦ｎ）を選び取って、前記ｍ個の縦方向誘導信号値ｂ１、ｂ２、…、ｂｍの中から最大のｓ個の縦方向誘導信号値Ｂ１、Ｂ２、…、Ｂｓ（２≦ｓ≦ｍ）を選び取る。
【００４５】
ステップＳ６０３において、計算ユニット１６は以下の公式２によって接触点の座標（Ｘ，Ｙ）を計算する。
【００４６】
【数１１】
2014075127.tif 000013
前記公式２において、Ａ１、Ａ２、…、Ａｒは、前記ｎ個の横方向誘導信号値ａ１、ａ２、…、ａｎの中から選び取った最大のｒ個の横方向誘導信号値を表し、Ｂ１、Ｂ２、…、Ｂｓは、前記ｍ個の縦方向誘導信号値ｂ１、ｂ２、…、ｂｍの中から選び取った最大のｓ個の縦方向誘導信号値を表し、Ｘ１、Ｘ２…、Ｘｒは、前記最大のｒ個の横方向誘導信号値Ａ１、Ａ２、…、Ａｒにそれぞれ対応する横座標を表し、Ｙ１、Ｙ２…、Ｙｓは、前記最大のｓ個の縦方向誘導信号値Ｂ１、Ｂ２、…、Ｂｓにそれぞれ対応する縦座標を表す。
【００４７】
上記の第二実施例に係るタッチ感応方法の１つの典型例として、ｒとｓとの値は、それぞれ２である。つまり、計算ユニット１６は前記ｎ個の横方向誘導信号値ａ１、ａ２、…、ａｎの中から最大の２つの横方向誘導信号値Ａ１及びＡ２を選び取ると共に、ｍ個の縦方向誘導信号値ｂ１、ｂ２、…、ｂｍの中から最大の２つの縦方向誘導信号値Ｂ１及びＢ２を選び取り、且つ以下の公式３によって接触点の座標（Ｘ，Ｙ）を計算して得る。
【００４８】
【数１２】
2014075127.tif 000014
前記公式３において、Ａ１及びＡ２は、前記ｎ個の横方向誘導信号値ａ１、ａ２、…、ａｎの中から選び取った最大の２つの横方向誘導信号値であり、Ｂ１及びＢ２は、前記ｍ個の縦方向誘導信号値ｂ１、ｂ２、…、ｂｍの中から選び取った最大の２つの縦方向誘導信号値であり、Ｘ１及びＸ２は、前記最大の２つの横方向誘導信号値Ａ１、Ａ２にそれぞれ対応する横座標であり、Ｙ１及びＹ２は、前記最大の２つの縦方向誘導信号値Ｂ１、Ｂ２にそれぞれ対応する縦座標である。
【００４９】
以上、本発明の好適な実施形態について詳細に説明したが、本発明は上記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００５０】
１０  タッチセンサー装置
１２  タッチパネル
１６  計算ユニット
Ｘ１、Ｘ２…、Ｘｎ  横座標
Ｙ１、Ｙ２…、Ｙｍ  縦座標
ａ１、ａ２、…、ａｎ  横方向誘導信号値
ｂ１、ｂ２、…、ｂｍ  縦方向誘導信号値
【図１】
2014075127.tif 000020
【図２】
2014075127.tif 000021
【図３】
2014075127.tif 000022
【図４】
2014075127.tif 000023
【図５】
2014075127.tif 000024
【図６】
2014075127.tif 000025